(57)【要約】      （修正有）【課題】ペーパーロールのペーパー端を取り出しやすいホルダー部品またはホルダーカバー板を有するペーパーロールホルダーを提供する。【解決手段】ペーパーロールホルダーにおいて、全体がシート状であって、前方部を横方向に折曲させてその前端縁に設けたカッター部１６と、ペーパー幅よりも大きい横幅のペーパー通過孔１８と、該通過孔１８の下辺から前方へ折曲させた横長のガイド舌片２０とを備えるホルダー部品２またはホルダーカバー板を用いる。【選択図】図１
0003198811.tif 000002
【実用新案登録請求の範囲】
【請求項１】
全体がシート状であって、前方部を横方向に折曲させてその前端縁に設けたカッター部と、ペーパー幅よりも大きい横幅のペーパー通過孔と、該通過孔の下辺から前方へ折曲させた横長のガイド舌片とを備えるホルダー部品を用い、該ホルダー部品の後方部をカバー板の上面に固着するペーパーロールホルダー。
【請求項２】
ホルダー部品の後方部が変形可能であり、該部品の後方部をカバー板の湾曲に応じて曲げることでカバー板上面に密接させて接着できる請求項１記載のペーパーホルダー。
【請求項３】
全体がシート状であって、前方部を横方向に折曲させてその前端縁に設けたカッター部と、ペーパー幅よりも大きい横幅のペーパー通過孔と、該通過孔の下辺から前方へ折曲させた横長のガイド舌片とを備えるホルダーカバー板を有し、該カバー板の後方部をホルダーの両支持枠に回転可能に枢着するペーパーロールホルダー。
【請求項４】
ペーパー通過孔の下辺から前方へ折曲させたガイド舌片の両端角部を丸め、該ガイド舌片の折曲角度はシート材の平面に対して前向きに６０〜８０度であり、ホルダーの使用状態において、ガイド舌片の上縁とカッター部とは同一または近似の水平面上に位置する請求項１または３記載のペーパーホルダー。
【請求項５】
１枚のプラスチックシートからホルダー部品またはホルダーカバー板を熱成形加工する請求項１または３記載のペーパーホルダー。
【考案の詳細な説明】
【技術分野】
【０００１】
本考案は、ペーパー端を取り出しやすいホルダー部品またはホルダーカバー板を有するペーパーロールホルダーに関し、このホルダー部品は既存のペーパーロールホルダーに容易に固着できる。
【背景技術】
【０００２】
ペーパーロールホルダーは、トイレットにおいて日常的に使用されるうえに構造が比較的単純であるので、改良ホルダーが非常に多数出願されている。例えば、特開平６−３４３５７４号または実開平７−３６８９０号では、ペーパーロールを切断するカバー板について、特殊な切断手段を別個に設けることにより、ペーパーロールに密着して引き出しにくいペーパー端を引出し易いペーパーホルダーを提案している。
【０００３】
特開平６−３４３５７４号のペーパーホルダーは、カバー板をペーパーロールを覆うように取り付けるとともに、該カバー板の前方部には、ペーパーロールの周面と離隔させてペーパーカッターを設けている。また、実開平７−３６８９０号のペーパーホルダーは、カバー板の中央部にペーパー取り出し口を形成し、該取り出し口の前方においてカバー板前方部を湾曲させてペーパーカッターを設けている。
【先行技術文献】
【特許文献】
【０００４】
【特許文献１】特開平６−３４３５７４号公報
【特許文献２】実開平７−３６８９０号公報
【考案の概要】
【考案が解決しようとする課題】
【０００５】
特開平６−３４３５７４号のペーパーホルダーでは、ペーパーロールをカッターで切断した当初はペーパーロール周面から離れていても、時間経過とともにペーパー端がペーパーロール周面に再度引っ付く事態が発生しやすい。また、実開平７−３６８９０号のペーパーホルダーでは、ペーパー取り出し口の中央下方に垂れ下がり止め板を設置しており、
この垂れ下がり止め板はカバー板と別個の部材であるため、その部材分だけ製造工程が複雑になってペーパーホルダーの製造コストが上昇するうえに、該ホルダーの耐久性を欠くことになる。
【０００６】
本考案は、従来のペーパーホルダーに関する前記の問題点を改善するために提案されたものであり、製造が比較的容易であって従来品とほぼ同価であるペーパーロールホルダーを提供することを目的としている。本考案の他の目的は、既存のペーパーホルダーに容易に取り付けることができるホルダー部品を有するペーパーロールホルダーを提供することである。
【課題を解決するための手段】
【０００７】
本考案に係るペーパーロールホルダーは、全体がシート状であって、前方部を横方向に折曲させてその前端縁に設けたカッター部と、ペーパー幅よりも大きい横幅のペーパー通過孔と、該通過孔の下辺から前方へ折曲させた横長のガイド舌片とを備えるホルダー部品を用いる。このホルダー部品は、その後方部をカバー板の上面に固着する。
【０００８】
本考案で用いるホルダー部品において、その後方部は変形可能であることが好ましく、該部品の後方部をカバー板の湾曲に応じて曲げることでカバー板上面に密接させて接着できる。
【０００９】
本考案に係る別のペーパーロールホルダーは、全体がシート状であって、前方部を横方向に折曲させてその前端縁に設けたカッター部と、ペーパー幅よりも大きい横幅のペーパー通過孔と、該通過孔の下辺から前方へ折曲させた横長のガイド舌片とを備えるホルダーカバー板を有している。このホルダーカバー板は、その後方部をホルダーの両支持枠に回転可能に枢着する。
【００１０】
本考案に係るペーパーロールホルダーにおいて、ペーパー通過孔の下辺から前方へ折曲させたガイド舌片の両端角部を丸めると好ましい。また、１枚のプラスチックシートからホルダー部品またはホルダーカバー板を熱成形加工することが可能である。さらに、薄い金属板からの加工も可能である。
【考案の効果】
【００１１】
本考案に係るペーパーロールホルダーにおいて、ペーパーロールのペーパー片を横長のペーパー通過孔に通して外へ出し、ガイド舌片で保持しながらカッター部で切断することにより、ロール周面に密着しやすいペーパー端をロール周面から浮き上がらせ、そのペーパー端を引出し易くすることで使い勝手が良い。本考案のペーパーロールホルダーでは、１枚のプラスチックシートを熱加工で打ち抜いて一部折り曲げるだけで製造できるホルダー部品またはカバー板を用いるから、従来品とほぼ同価で販売することが可能である。
【００１２】
本考案で用いるホルダー部品は、１枚のプラスチックシートを熱加工で打ち抜いて一部折り曲げるだけであるから比較的安価に製造できる。本考案で用いるホルダー部品は、既存のペーパーホルダーのカバー板にそのまま取り付けることができ、ペーパーホルダー自体を交換する必要がないので取り付けが迅速で簡単である。このホルダー部品は、特定のペーパーホルダーだけに取り付け可能とするだけでなく、総てのペーパーホルダーに取り付け可能に変形できる。
【図面の簡単な説明】
【００１３】
【図１】本考案で用いるホルダー部品を示す斜視図である。
【図２】ホルダー部品の変形例を示す斜視図である。
【図３】本考案に係るペーパーロールホルダーを示す斜視図である。
【図４】図３のペーパーロールホルダーの概略横断面図である。
【図５】図１のホルダー部品用のプラスチックシートを示す平面図である。
【図６】ペーパーロールホルダーの変形例を示す斜視図である。
【考案を実施するための形態】
【００１４】
本考案に係るペーパーロールホルダー１は、図３に例示するようにホルダー部品２（図１）を用い、該部品の後方部３をカバー板５の上面に固着しても、図６に示すようにカバー板自体を変形することも可能である。ペーパーロールホルダー１は、通常、適宜に着色したポリエチレンやポリプロピレンのようなポリオレフィン、ポリアミド、ポリエステルなどの汎用樹脂製であればよい。
【００１５】
ホルダー部品２を取り付けるペーパーロールホルダー１は、図３のような公知構造であって、平行に配置した１対のロール支持枠６，６と、その両支持枠を左右端で直交保持する枠本体７とを有する。両支持枠６，６の内面中央には、ペーパーロール８の支持軸１０（図４）を配置する。支持軸１０は、例えば、上方から水平方向まで回動可能な舌片であっても１本の軸棒でもよい。また、両支持枠６，６には、その内壁面の上方後部にカバー板５を回動自在に枢着し、該カバー板の前縁にカッター部５ａを形成する。
【００１６】
ホルダー部品２は、図１または図２に示すように全体がなだらかに湾曲したシート材からなり、一般にシート前方部１２を後方部３と反対方向に湾曲させ（図４参照）、その前側で横方向にほぼ直角に折曲させて屈曲部１４を形成し、該屈曲部の前端縁に鋸歯状のカッター部１６を設ける。カッター部１６は、例えば、シート材の前端縁自体を鋸歯状に成形しても他の金属製の鋸歯部材をシート前端縁に取り付けて設置してもよい。屈曲部１４の高さは２０ｍｍ程度であり、使用者の第２指の横幅よりも大きく、該屈曲部内に第２指が入りやすいように定める。
【００１７】
ホルダー部品２には、ほぼ縦中央において、ペーパー幅よりも大きい横幅のペーパー通過孔１８をカッター部１６と平行に設ける。ペーパー通過孔１８は、通常、その内部の一部をガイド舌片２０に利用できるように細長い矩形状平面であると好ましく、その隅部は丸めておくことが望ましい。ペーパー通過孔１８の下辺と屈曲部１４との距離は、使用者の第２指の横幅よりも大きい２０〜３０ｍｍに定める。
【００１８】
横長のガイド舌片２０は、ホルダー部品２と一体または別体のシート材であり、ペーパー通過孔１８と同等またはそれ以下の横幅である。ガイド舌片２０は、ペーパー通過孔１８の下辺から前方へ折曲させ、その上端縁は使用時に屈曲部１４の上端縁と同等または多少低くなるように定める（図４参照）。ガイド舌片２０の両端角部２２，２２は、引き出したペーパーが引っ掛かって破れないように丸めることが望ましいく。ガイド舌片２０の折曲角度は、シート材の平面に対して前向きに６０〜８０度程度であればよい。
【００１９】
ホルダー部品２は、プラスチック材の射出成形や圧縮成形で製造可能であるけれども、１枚のプラスチックシートを２次加工において熱成形してもよい。図５を参照すると、プラスチックシート２５を図示のように打ち抜き、幅狭の後方部３、カッター部１６、ペーパー通過孔１８、平坦なガイド舌片２０を形成する。次に、熱加工によって屈曲部１４をほぼ直角に折り曲げるとともに、ガイド舌片２０を前向きに折り曲げ、さらに後方部３を下向きに湾曲させる。
【００２０】
ホルダー部品２の後方部３には、図１と図３のように広幅の両面粘着テープ２４を裏面に接着すればよい。部品後方部３の下面は、図４に示すようにカバー板５の前方部２６の上面と縦方向に同じ角度で湾曲させることにより、その前方部と密接可能であり、両面粘着テープ２４の離型紙を剥がしてカバー板５の前方部２６に密着させて接着できる。一般に、ペーパーロールホルダー１のカバー板５の上面は、メーカーによって平坦から高湾曲まで各種のものが存在するので、図１のホルダー部品２は特定メーカーのペーパーロールホルダー１の専用品になる。
【００２１】
ペーパーロールホルダー１において、ペーパーロール８のペーパー片２７を横長のペーパー通過孔１８に通して外へ出し、ガイド舌片２０で保持しながらカッター部１６で切断することにより、ロール周面に密着しやすいペーパー端をロール周面から浮き上がらせる。この結果、図４に示すように屈曲部１４によってペーパー片２７の下方に空間２８が生じ、該空間内へ使用者の第２指を挿入すると、ペーパー片２７のペーパー端を容易に引出すことができるので使い勝手が良い。
【００２２】
図２における汎用のホルダー部品３０は、その後方部３２がカバー板に応じて変形可能であり、どのメーカーのペーパーロールホルダーのカバー板にも適用できる。変形可能な後方部３２は、例えば、図示のように深い平行溝３４を多数本設けても、熱可塑性樹脂製であると多少薄肉状にしてもよい。ホルダー部品３０の後方部３２は、ペーパーホルダーのカバー板の湾曲に応じて曲げることにより、殆どのペーパーロールホルダーのカバー板上面に密接させて接着できる。
【００２３】
図６はペーパーロールホルダーの変形例を示す。ペーパーロールホルダー４０においては、ホルダーカバー板４２は全体がシート状であって、前方部を横方向に折曲させた屈曲部４３の前端縁に設けたカッター部４４と、ペーパー幅よりも大きい横幅のペーパー通過孔４６と、該通過孔の下辺から前方へ折曲させた横長のガイド舌片４８とを有する。カバー板４２の後方部は、両支持枠５０，５０の内壁面の上方後部に回動自在に枢着する。カバー板４２の前方部は、前記のホルダー部品２の形状と実質的に同一である。
【実施例１】
【００２４】
次に、本考案を実施例に基づいて説明する。図１に示すホルダー部品２は、１枚のポリプロピレンシートを２次加工で熱成形して製造する。ポリプロピレンシート２５は、図５のように打ち抜かれ、幅狭の後方部３、鋸歯状のカッター部１６、ペーパー通過孔１８、平坦なガイド舌片２０をそれぞれ形成する。次に、熱加工によってシートを一点鎖線１４ａでほぼ直角に折り曲げて屈曲部１４を形成するとともに、一点鎖線２０ａで前向きに約７０度折り曲げてガイド舌片２０を形成し、さらに後方部３を下向きに湾曲させ、且つ前方部１２を一点鎖線２０ａの位置で上向きに約２５度屈曲させ（図４参照）、結果として前方部１２を後方部３と反対方向に湾曲させる。
【００２５】
ホルダー部品２には、ほぼ中央において、ペーパー幅よりも大きい横幅のペーパー通過孔１８を有する。横長のガイド舌片２０は、ホルダー部品２と一体であり、ペーパー通過孔１８とほぼ同等の横幅である。ガイド舌片２０は、ペーパー通過孔１８の下辺から前方へ折曲させ、その上端縁は屈曲部１４の上端縁よりも僅かに低く。ガイド舌片２０の両端角部２２，２２は、引き出したペーパーが引っ掛かって破れないように丸める。
【００２６】
ホルダー部品２の後方部３には、図１と図３のように広幅の両面粘着テープ２４を裏面に接着する。部品後方部３の下面は、図４に示すようにカバー板５の前方部２６の上面と縦方向に同じ角度に湾曲しており、両面粘着テープ２４の離型紙を剥がしてカバー板５の前方部２６に密着接着できる。この使用状態において、部品前方部１２の上向きの屈曲により、ガイド舌片２０の上縁とカッター部１６とは、ほぼ同じ水平面上に位置することが望ましい。図１のホルダー部品２は、特定メーカーのペーパーロールホルダー１の専用品に該当する。
【００２７】
ホルダー部品２を固着したペーパーロールホルダー１は、ペーパーロール８のペーパー片２７を横長のペーパー通過孔１８に通して外へ出し、ガイド舌片２０で保持しながらカッター部１６で切断する。この際に、図４に示すように屈曲部１４によってペーパー片２７の下方に空間２８が生じ、該空間内へ使用者の第２指を挿入すると、ペーパー片２７のペーパー端を容易に引出すことができる。ホルダー部品２は、１枚のプラスチックシートを熱加工で打ち抜いて一部折り曲げるだけで製造できるから、その製造が容易であって安価に製造することが可能である。
【実施例２】
【００２８】
図６に示すペーパーロールホルダー４０は、平行に配置した１対のロール支持枠５０，５０と、その両支持枠を左右端で直交保持する枠本体５２とを有する。両支持枠５０，５０の内面中央には、それぞれペーパーロール５４の支持軸（図示しない）を配置する。この支持軸は、上方から水平方向まで回動可能な舌片である。両支持枠５０，５０には、その上方後部にカバー板４２を回動自在に枢着し、該カバー板の前縁にカッター部４４を形成する。
【００２９】
ペーパーロールホルダー４０において、カバー板４２は全体がシート状である。カバー板４２には、前方部を横方向に折曲させた屈曲部４３の前端縁に設けたカッター部４４と、ペーパー幅よりも大きい横幅のペーパー通過孔４６と、該通過孔の下辺から前方へ折曲させた横長のガイド舌片４８とを設ける。
【００３０】
ペーパーロールホルダー４０は、ペーパーロール５４のペーパー片５５を横長のペーパー通過孔４６に通し、ガイド舌片４８で保持しながらカッター部４４で切断することにより、ロール周面に密着しやすいペーパー端を浮き上がらせる。この際に、屈曲部４３によってペーパー片５５の下方に空間が生じ、この空間内へ使用者の第２指を挿入すると、そのペーパー端を容易に引出すことができる。
【符号の説明】
【００３１】
１    ペーパーロールホルダー
２    ホルダー部品
３    部品後方部
５    カバー板
６，６    ロール支持枠
８    ペーパーロール
１４    屈曲部
１６    カッター部
１８    ペーパー通過孔
２０    ガイド舌片
２４    両面粘着テープ
【図１】
0003198811.tif 000003
【図２】
0003198811.tif 000004
【図３】
0003198811.tif 000005
【図４】
0003198811.tif 000006
【図５】
0003198811.tif 000007
【図６】
0003198811.tif 000008